(57)【要約】      （修正有）【課題】主に台座、書見台、及びヘッドレスト台からなり、部材間を相互に枢接して可動状態にする多機能物置構造を提供する。【解決手段】台座１には間隔を置いて配列した複数個の長溝を設け、書見台には上縁表面に間隔を置いて配列した複数個の長溝１１を設け、底縁には可動する支柱２３とストッパー２４を設け、ヘッドレスト台３の上縁にはヘッドレスト３１を取付けて、その底縁には可動する支柱３２を設け、書見台２の支柱２３が台座１の異なる位置の長溝に嵌着されることによって、書物やノートパソコンが置ける様にして、書見台にしたりノートパソコンの操作に便利なようにしたりし、またヘッドレスト台３に設けた支柱３２が書見台の異なる位置の長溝２１に嵌着されることで、頭部をヘッドレスト３１に置いて仮眠したり休憩したりし、また使用しない時は、台座や書見台及びヘッドレスト台を畳んで、携帯したり収納したりする。【選択図】図２
0003147589.tif 000002
【実用新案登録請求の範囲】
【請求項１】
台座、書見台、及びヘッドレスト台からなり、部材間を相互に枢接して可動状態にする多機能物置構造であって、
前記台座には間隔を置いて配列した複数個の長溝を設け、前記書見台には上縁表面に間隔を置いて配列した複数個の長溝を設け、底縁には可動する支柱を設け、前記ヘッドレスト台の上縁にはヘッドレストを取付けて、その底縁には可動する支柱を設け、前記部材の組合せによって多機能物置を構成し、使用時に書見台の支柱を台座の異なる位置の長溝に嵌着して、書見台に適度な傾斜角度をつけて、ヘッドレスト台を後に翻して、本を読んだりノートパソコンを操作したりする際に、書物やノートパソコンを前記書見台に置いたり、ヘッドレスト台に設けた支柱を書見台の異なる位置の長溝に嵌着して、頭部をヘッドレストに置いて仮眠したり休憩したりし、また使用しない時は、台座や書見台及びヘッドレスト台を畳んで扁平状にして、携帯したり収納したりするのに便利なようにすることを特徴とする多機能物置構造。
【請求項２】
前記ヘッドレスト台に取付けたヘッドレストは中央位置に凹陥部を設け、頭部を凭れると、顔面部位を伏せることができ、仮眠したり休憩したりするのに快適であることを特徴とする請求項１に記載する多機能物置構造。
【請求項３】
前記書見台の表面の下方両側にそれぞれ伸縮可能な押え板を取付け、書物を置く際に、前記押え板が書物のページを押えることでページがめくれるのを防ぐことを特徴とする請求項１に記載する多機能物置構造。
【請求項４】
前記書見台の表面の下方には開閉可能なストッパーを取付け、ノートパソコンを置く際に、前記ストッパーの滑り止めにより位置決めをして、ノートパソコンが下に滑り落ちないようにすることを特徴とする請求項１に記載する多機能物置構造。
【考案の詳細な説明】
【技術分野】
【０００１】
本考案は多機能物置構造に関し、特に書見台、ノートパソコン台及びヘッドレスト機能を兼ね備え、且つそれらの組合せが便利で携帯や収納し易い多機能書見台構造に関する。
【背景技術】
【０００２】
一般に書物を置く書見台の構造は通常適度な角度をつけたプレートを設けて、書物を前記プレートに置くが、こうした書見台はその他の付加機能がないため、単調で実用性に乏しい。また、ノートパソコンを操作する際、通常テーブルに平に置くが、こうすると操作が不便なだけでなく手も疲れやすい。さらには授業中や会社の昼休み時間の仮眠の際にも、通常両手をテーブルに置いて、頭部を両手の上に突っ伏して、仮眠を取ったり休憩したりしており、頭部が両手で圧迫されて血行不良を招くだけでなく、姿勢も快適とは成り得ず、実際には休息して疲労回復するという効果がなかなか望めないのである。出願人はこうしたことに鑑みて、前記業務に長年従事した経験に基き、不断の経験と実験を経てさらに改良して、書見台にヘッドレスト機能を兼備させることで、書見台の実用価値を高めることができた。
【考案の開示】
【考案が解決しようとする課題】
【０００３】
本考案の主な目的は、書物、ノートパソコン及びヘッドレストを置く機能を兼備し、且つその組合せが便利で、携帯や収納し易い多機能物置構造を提供することにある。
【課題を解決するための手段】
【０００４】
前記の多機能物置構造は台座、書見台、及びヘッドレスト台からなり、部材間を相互に枢接して可動状態にし、前記台座には間隔を置いて配列した複数個の長溝を設け、前記書見台には上縁表面に間隔を置いて配列した複数個の長溝を設け、底縁には可動する支柱を設け、前記ヘッドレスト台の上縁にはヘッドレストを取付けて、その底縁には可動する支柱を設け、書見台の支柱が台座の異なる位置の長溝に嵌着されることによって、書物やノートパソコンが置ける様にして、書見台にしたりノートパソコンの操作に便利なようにしたりし、またヘッドレスト台に設けた支柱を書見台の異なる位置の長溝に嵌着して、頭部をヘッドレストに置いて仮眠したり休憩したりし、また使用しない時は、台座や書見台及びヘッドレスト台を畳んで、携帯したり収納したりし易い様にする。
【考案の効果】
【０００５】
前記の多機能物置構造では、前記ヘッドレスト台に取付けたヘッドレストは中央位置に凹陥部を設け、頭部を凭れると顔面部位を伏せることができ、仮眠したり休憩したりするのに快適である。
【０００６】
前記の多機能物置構造では、前記書見台の表面の下方両側はそれぞれ伸縮可能な押え板を取付け、書物を置く際に、前記押え板が書物のページを押えることでページがめくれるのを防ぐ。
【０００７】
前記の多機能物置構造では、前記書見台の表面の下方に開閉可能なストッパーを取付け、ノートパソコンを置く際に、前記ストッパーの滑り止めにより位置決めをして、ノートパソコンが下に滑り落ちないようにする。
【考案を実施するための最良の形態】
【０００８】
〔実施例〕
図１、図２では、本考案は主に台座１、書見台２、及びヘッドレスト台３からなり、部材間を相互に枢接して可動状態にし、そのうち前記台座１には間隔を置いて配列した複数個の長溝１１を設け、前記書見台２は上縁表面に間隔を置いて配列した複数個の長溝２１を設けると共に、表面の下方両側はそれぞれ伸縮可能な押え板２２を取付け、底縁には可動する支柱２３を設けて、２つの押え板２２の間には開閉可能なストッパー２４を取付ける。
【０００９】
前記ヘッドレスト台３は、上縁にヘッドレスト３１を取付けて、前記ヘッドレスト３１の中央位置に凹陥部３１１を設けると共に、その底縁には可動する支柱３２を設ける。
【００１０】
前記部材の組合せによって、多機能物置を構成し、使用時に書見台２の支柱２３を台座１の異なる位置の長溝１１に嵌着し、書見台２に適度な傾斜角度をつけて、ヘッドレスト台３を後に翻して、本を読んだりノートパソコンを操作したりする際に、書物やノートパソコンを前記書見台２に置く。また、ヘッドレスト台３に設けた支柱３２が書見台２の異なる位置の長溝２１に嵌着されることによって、頭部をヘッドレスト３１に置いて仮眠したり休憩したりし、使用しない時は、台座１や書見台２及びヘッドレスト台３を畳んで扁平状にして、携帯したり収納したりし易い様にする。
【００１１】
図３では、本考案を書見台の機能として使用する際、書見台２の支柱２３を台座１の異なる位置の長溝１１に嵌着し、書見台２に適度な傾斜角度をつけて、ヘッドレスト台３を後に翻して、書物４を書見台２の上縁表面に置いて、閲読し易いようにし、また下方両側の押え板２２を書見台２から適度な長さ引き出して書籍のページを押えて、ページめくれを防止する。
【００１２】
図３Ａでは、本考案でノートパソコンを置く際、書見台２の支柱２３を台座１の異なる位置の長溝１１に嵌着し、書見台２に適度な傾斜角度をつけて、ヘッドレスト台３を後に翻して、ノートパソコン５を書見台２の上縁表面に置いて操作し易い様にして手の疲労を防止し、下方のストッパー２４を書見台２から開いて垂直状にし、前記ストッパーで滑り止めをして位置決めし、ノートパソコン５が下に滑り落ちないようにすることができる。
【００１３】
図４では、本考案をヘッドレストの機能として使用する際、書見台２に取付けた支柱２３を台座１の適当な位置の長溝１１に嵌着た上で、ヘッドレスト台３を前に翻して、それに取付けた支柱３２を書見台２の適当な位置の長溝２１に嵌着して、ヘッドレスト３に適度な傾斜角度をつけて、頭部を前記ヘッドレスト３１に置いて仮眠したり休憩したりする。前記ヘッドレスト台３に取付けたヘッドレスト３１は中央位置に凹陥部３１１を設け、頭部を凭れると顔面部位を伏せることができ、仮眠したり休憩したりするのに快適である。
【００１４】
図５は、本考案のヘッドレスト機能に使用する別の実施例で、書見台２に設けた支柱２３を折畳み、書見台２と台座を折畳んだ上で、ヘッドレスト台３を前に翻して、それに取付けた支柱３２を書見台２の適当な位置の長溝２１に嵌着た上で、前記ヘッドレスト台３の高さを下げて、異なるユーザーが仮眠したり休憩したりする様にする。
【００１５】
図６では、本考案が使用されない時、書見台２とヘッドレスト３２に取付けた支柱２３、３２をそれぞれ折畳み、書見台２と台座を折畳んだ上で、ヘッドレスト台３を書見台２に扁平状に折畳み、携帯したり収納したりし易い様にする。
【００１６】
上述したように、本考案の可動する書見台とヘッドレスト台を、それらに取付けた支柱や長溝と組合せた多機能物置構造は、書見台にヘッドレスト機能を兼備して、組合せに便利で携帯や収納がし易い実用設計であることから、斬新性を備えた創作であり、よって法に則り出願し、審査により早期に登録を賜りたく願う次第である。
【図面の簡単な説明】
【００１７】
【図１】本考案の斜視図である。
【図２】本考案の側面図である。
【図３】本考案の書見台の使用実施例図である。
【図３Ａ】本考案の書見台の別途使用実施例図である。
【図４】本考案のヘッドレスト台の使用実施例図である。
【図５】本考案のヘッドレスト台の別途使用実施例図である。
【図６】本考案の収納実施例図である。
【符号の説明】
【００１８】
１      台座
１１    長溝
２      書見台
２１    長溝
２２    押え板
２３    支柱
２４    ストッパー
３      ヘッドレスト台
３１    ヘッドレスト
３１１  凹陥部
３２    支柱
４      書物
【図１】
0003147589.tif 000003
【図２】
0003147589.tif 000004
【図３】
0003147589.tif 000005
【図３Ａ】
0003147589.tif 000006
【図４】
0003147589.tif 000007
【図５】
0003147589.tif 000008
【図６】
0003147589.tif 000009